(57)【要約】【課題】シャッターを開閉する際の干渉音を抑制することができる換気扇を提供することを目的とする。【解決手段】換気扇のフランジ部９には、フランジ部９の背面側から前面側にシャッター引上げ部品２４を貫通させる貫通孔９ｂが形成されており、貫通孔９ｂの縁部のうちソレノイド２３の吸引方向とは逆方向の縁部９ｃには、コイル２３ａへの非通電時にシャッター引上げ部品２４に当接する当接部が設けられており、当接部は、ソレノイドカバー２５の材質よりも硬度の低い材質で形成されている。【選択図】図１６
2015175590.tif 000002
【特許請求の範囲】
【請求項１】
室内外を連通させる導管に挿入され、羽根車を回転させる電動機が取り付けられる筒状の本体フレームと、
前記本体フレームの室内側開口部の外周から径方向に張り出して設けられたフランジ部と、を備え、
前記フランジ部の室内側から見た前面には、前記室内側開口部を開閉するシャッターが設けられており、
前記フランジ部の室内側から見た背面には、前記シャッターを駆動するソレノイドと前記ソレノイドの周囲を覆うソレノイドカバーとが設けられており、
前記シャッターは、シャッター枠と、前記シャッター枠に回転自在に設けられたシャッターブレードと、前記シャッターブレードを閉方向に付勢する付勢手段と、を備えており、
前記ソレノイドは、コイルと、通電時の前記コイルに吸引される可動鉄心と、前記可動鉄心に取り付けられ、前記可動鉄心が前記コイルに吸引されるときの吸引力を前記シャッターに伝達し、前記付勢手段の付勢力に抗して前記シャッターを開状態とするシャッター引上げ部品と、を備えており、
前記フランジ部には、当該フランジ部の背面側から前面側に前記シャッター引上げ部品を貫通させる貫通孔が形成されており、
前記貫通孔の縁部のうち前記ソレノイドの吸引方向とは逆方向の縁部には、前記コイルへの非通電時に前記シャッター引上げ部品に当接する当接部が設けられており、
前記当接部は、前記ソレノイドカバーの材質よりも硬度の低い材質で形成されていることを特徴とする換気扇。
【請求項２】
前記当接部は、前記フランジ部とは別の部材で形成されていることを特徴とする請求項１に記載の換気扇。
【請求項３】
前記当接部は、前記フランジ部の材質よりも硬度の低い材質で形成されていることを特徴とする請求項１又は請求項２に記載の換気扇。
【請求項４】
前記フランジ部の背面と前記ソレノイドとの間には、金属板が設けられていることを特徴とする請求項１〜請求項３のいずれか一項に記載の換気扇。
【請求項５】
前記ソレノイドカバーの材質は難燃性樹脂であり、前記フランジ部の材質は非難燃性樹脂であることを特徴とする請求項１〜請求項４のいずれか一項に記載の換気扇。
【発明の詳細な説明】
【技術分野】
【０００１】
本発明は、シャッターを有する換気扇に関するものである。
【背景技術】
【０００２】
換気扇は、室内外を連通させ空気の通路となる導管（パイプやダクト）に、室内側から挿入して装着する円筒状の風洞を有し、この風洞内に軸流ファンを有する電動機を設けた本体フレームを備えている。この本体フレームには、平面部を有し半径方向に張り出すフランジが風洞の室内側開口部の外周に連設されている。また、本体フレームには、フランジの端縁部の背面に、端面が室内側の壁面に当接する立上り部が突設されており、これらフランジと立上り部とによって前面構造部が構成されている。そして、この前面構造部のフランジに、爪嵌合により化粧パネルが取り付けられている。
【０００３】
このようなものにおいて、換気扇の運転、停止に合わせて開閉するシャッターを備えているものがある。このシャッターは、換気扇停止時に外風が室内に流入することを防ぐものである。一般に、シャッターは、換気扇の運転が開始されるときにはソレノイドの吸引力によって開き、換気扇の運転が停止されるときにはシャッター開放時に負荷を与えられていたばねの復元力及び自重により閉じる構造となっている。
【０００４】
特許文献１には、ソレノイドに熱伝導可能に接続されるとともに、少なくとも一部を通風路に露呈してソレノイドから伝導された熱を放熱する放熱板を備えた換気扇が記載されている。放熱板は、難燃性でかつ熱伝導性の高い材質で作製されている。また、ソレノイドは、一面に開口部を有する略直方体形状の樹脂カバーで覆われている。樹脂カバーは、難燃性樹脂であるＰＢＴ樹脂で作製されている。同文献には、ソレノイドを難燃性材料で覆うことで、フランジ部を含むフレームの材料として非難燃性樹脂を用いることができることが記載されている。
【０００５】
また、特許文献２には、換気扇運転停止決定時にファンモータのみの運転を停止し、電動シャッターは一定時間開状態とし、一定時間経過後、電動シャッターを閉じるようにシャッターモータを処理する制御手段を設けた電動シャッター付自動換気扇が記載されている。同文献には、上記の電動シャッター付自動換気扇によれば、シャッターのチャタリング動作、又は、ばたつきによるシャッター開閉音を防止できることが記載されている。
【先行技術文献】
【特許文献】
【０００６】
【特許文献１】特開２００６−３４３０４８号公報
【特許文献２】実願平３−１７７７号（実開平４−１００５３１号）のマイクロフィルム
【発明の概要】
【発明が解決しようとする課題】
【０００７】
特許文献１に記載された換気扇では、ソレノイドが難燃性材料で覆われているため、ソレノイドの延焼を防止することができる。しかしながら、ソレノイドが難燃性樹脂製の樹脂カバーで覆われている場合、シャッターが閉じる際には、ばねの復元力及びシャッターの自重によって初期位置に押し戻される作動ピン（シャッター引上げ部品）が樹脂カバーに衝突する。一般に、難燃性樹脂は、ガラスなどを含有しているため高い硬度を有している。このため、シャッター引上げ部品と樹脂カバーとが衝突する際には、大きな干渉音が発生してしまうという問題点があった。
【０００８】
一方で、特許文献２には、シャッターが短時間に開閉されることを防止することは記載されているが、シャッターを開閉する際の干渉音自体を抑制することについての記載はない。
【０００９】
本発明は、上述のような問題点を解決するためになされたものであり、シャッターを開閉する際の干渉音を抑制することができる換気扇を提供することを目的とする。
【課題を解決するための手段】
【００１０】
本発明に係る換気扇は、室内外を連通させる導管に挿入され、羽根車を回転させる電動機が取り付けられる筒状の本体フレームと、前記本体フレームの室内側開口部の外周から径方向に張り出して設けられたフランジ部と、を備え、前記フランジ部の室内側から見た前面には、前記室内側開口部を開閉するシャッターが設けられており、前記フランジ部の室内側から見た背面には、前記シャッターを駆動するソレノイドと前記ソレノイドの周囲を覆うソレノイドカバーとが設けられており、前記シャッターは、シャッター枠と、前記シャッター枠に回転自在に設けられたシャッターブレードと、前記シャッターブレードを閉方向に付勢する付勢手段と、を備えており、前記ソレノイドは、コイルと、通電時の前記コイルに吸引される可動鉄心と、前記可動鉄心に取り付けられ、前記可動鉄心が前記コイルに吸引されるときの吸引力を前記シャッターに伝達し、前記付勢手段の付勢力に抗して前記シャッターを開状態とするシャッター引上げ部品と、を備えており、前記フランジ部には、当該フランジ部の背面側から前面側に前記シャッター引上げ部品を貫通させる貫通孔が形成されており、前記貫通孔の縁部のうち前記ソレノイドの吸引方向とは逆方向の縁部には、前記コイルへの非通電時に前記シャッター引上げ部品に当接する当接部が設けられており、前記当接部は、前記ソレノイドカバーの材質よりも硬度の低い材質で形成されていることを特徴とするものである。
【発明の効果】
【００１１】
本発明によれば、非通電時にシャッター引上げ部品と衝突する当接部が、ソレノイドカバーの材質よりも硬度の低い材質で形成されているため、シャッターを開閉する際の干渉音を抑制することができる。
【図面の簡単な説明】
【００１２】
【図１】本発明の実施形態に係る換気扇の側面視の断面図である。
【図２】本発明の実施形態に係る換気扇の正面図である。
【図３】本発明の実施形態に係る換気扇の背面図である。
【図４】本発明の実施形態に係る換気扇のシャッターを示す背面図である。
【図５】本発明の実施形態に係る換気扇のシャッターブレードを示す正面図である。
【図６】本発明の実施形態に係る換気扇の一方のシャッター枠軸挿入部を示す斜視図である。
【図７】図６のシャッター枠軸挿入部の拡大図である。
【図８】図６のシャッター枠軸挿入部をシャッター枠の内側側面法線方向から見た拡大図である。
【図９】本発明の実施形態に係る換気扇の他方のシャッター枠軸挿入部を示す斜視図である。
【図１０】本発明の実施形態に係る換気扇の可動ロッドの可動軸挿入部を示す斜視図である。
【図１１】本発明の実施形態に係る換気扇のシャッターを示す背面図である。
【図１２】本発明の実施形態に係る換気扇の爪及びばね収納部を示す図１１のＸ−Ｘ線断面図である。
【図１３】本発明の実施形態に係る換気扇のシャッターから可動ロッド及びばねを分解した状態を示す斜視図である。
【図１４】本発明の実施形態に係る換気扇の本体のシャッター枠取付け部を示す斜視図である。
【図１５】本発明の実施形態に係る換気扇のシャッター枠の取付け部を示す正面図である。
【図１６】本発明の実施形態に係る換気扇のソレノイド及び可動ロッド引上げ部を示す概略の断面図である。
【図１７】本発明の比較例としてのソレノイド及び可動ロッド引上げ部を示す概略の断面図である。
【図１８】本発明の実施形態の第１変形例に係る換気扇のソレノイド及び可動ロッド引上げ部を示す概略の断面図である。
【図１９】本発明の実施形態の第２変形例に係る換気扇のソレノイド及び可動ロッド引上げ部を示す概略の断面図である。
【発明を実施するための形態】
【００１３】
以下に、図示実施形態により本発明に係る換気扇について説明する。なお、以下の実施形態により本発明が限定されるものではない。
【００１４】
図１は本発明の実施形態に係る換気扇の側面視の断面図である。図２は本発明の実施形態に係る換気扇の正面図である。図３は本発明の実施形態に係る換気扇の背面図である。
本発明の実施形態に係る換気扇は、図１に示すように、室内外を連通させ空気の通路となる導管、例えばパイプ１やダクトに室内側から挿入して装着される。この換気扇の本体６は、パイプ１やダクトに挿入される樹脂製で筒状の本体フレーム３を備えている。本体フレーム３は、円筒状の風洞２を有している。本体フレーム３には、プロペラ式の羽根車４と羽根車を回転させる電動機５とで構成される送風機（軸流ファン）が取り付けられている。また、この換気扇は、化粧パネル７と、開口部８を開閉するシャッター１６と、シャッター１６を駆動するソレノイド２３（図３）とを備えている。
【００１５】
本体フレーム３は、図１に示すように、風洞２の前部の吸込口となるベルマウス形状の開口部８（室内側開口部）の口縁部に前面構造部が一体に形成されている。前面構造部は、平面部を有し開口部８の外周から径方向に張り出して設けられた略正方形（丸形でも良い）のフランジ部９と、フランジ部９の端縁に形成されて背面側へ突出しかつ室内側の壁面に端面が当接する立上り部１０とを備えている。フランジ部９の前面にはシャッター１６が設けられており、フランジ部９の背面にはソレノイド２３が設けられている。ここで、フランジ部９の「前面」及び「背面」とは、フランジ部９を室内側から見たときのものである。また、フランジ部９の背面には、シャッター１６を動作させるための電子回路、及び用途に合わせたセンサー類などが収納されている。フランジ部９の背面のうち電子回路が収納された部分には、電子回路への接触防止のため絶縁カバー１８が設けられている。また、フランジ部９の背面には、回転式構造で容易に外部電源電線と接続可能な端子台１７が設けられている。フランジ部９及び立上り部１０の材質には、非難燃性樹脂（例えば、ＰＰ樹脂又はＡＢＳ樹脂等）が用いられている。送風機の電動機５は、本体フレーム３の風洞２の室外側に設けられた電動機取付構造部に取り付けられている。
【００１６】
電動機取付構造部は、図１及び図３に示すように、周方向に間隔をおいて風洞２の中心線方向に沿って後方に延出する四本の脚部１１と、各脚部１１の端部から半径方向内側にそれぞれ延びる橋絡部１２と、これら橋絡部１２によって風洞２の中心部に支持された電動機カバー１３とを備えている。四本の脚部１１は、いずれも風洞２の外周より内側にあり、そのうちの一本の外側に、半径方向への拡開弾力により本体６を導管となるパイプ１内やダクト内に弾性保持する反り付きの板ばね１４が装着されている。この電動機取付構造部には、電動機５の外殻のフランジ部がねじにより締結される。これにより、電動機５は、その回転軸１５が電動機カバー１３の先から風洞２の中心線上に突き出すように取り付けられる。そして、この電動機５の風洞２内の中心線上に延出する回転軸１５に、羽根車４が風洞２内に配置された状態で装着されている。
【００１７】
化粧パネル７は、図１及び図２に示すように、本体フレーム３の前面構造部であるフランジ部９及び立上り部１０を被覆できる内側構造を有している。化粧パネル７は、爪嵌合により本体６に取り付けられる。
【００１８】
図４は本発明の実施形態に係る換気扇のシャッターを示す背面図である。
シャッター１６は、図４に示すように、シャッター枠１９と、シャッター枠１９に回転自在に設けられた複数のシャッターブレード２０と、複数のシャッターブレード２０を連結する可動ロッド２１と、可動ロッド２１を一方向（シャッターブレード２０の閉方向）に付勢するばね２２（付勢手段の一例）と、を備えている。
【００１９】
図５は本発明の実施形態に係る換気扇のシャッターブレードを示す正面図である。
複数のシャッターブレード２０は、いずれも同様の構成を有している。図５に示すように、シャッターブレード２０の形状は長方形である。シャッターブレード２０の長手方向両端には、シャッター枠１９に取り付けるための軸２０ａ、２０ｂが設けられている。また、シャッターブレード２０の長手方向の片側には、可動ロッド２１の動きと連動させるための可動軸２０ｃが設けられている。軸２０ａ、２０ｂは同軸上に設けられており、可動軸２０ｃは軸２０ａ、２０ｂに対してずれた位置に設けられている。
【００２０】
図６は本発明の実施形態に係る換気扇の一方のシャッター枠軸挿入部Ａを示す斜視図である。図７は図６のシャッター枠軸挿入部Ａの拡大図である。図８は図６のシャッター枠軸挿入部Ａをシャッター枠の内側側面法線方向から見た拡大図である。図９は本発明の実施形態に係る換気扇の他方のシャッター枠軸挿入部を示す斜視図である。
【００２１】
シャッター枠１９は、図６〜図９に示すように、底部が開口された箱形の形状を有している。シャッター枠１９は、シャッターブレード２０の軸２０ｂがそれぞれ挿入される複数のシャッター枠軸穴１９ｂを、シャッター枠１９の一方の内側側面（シャッター枠軸挿入部Ａ）に有している。また、シャッター枠１９は、シャッターブレード２０の軸２０ａがそれぞれ挿入される複数のシャッター枠軸穴１９ａを、シャッター枠１９の他方の内側側面（シャッター枠軸挿入部Ａに対向する他方のシャッター枠軸挿入部）に有している。
【００２２】
シャッター枠軸穴１９ａは、軸２０ａの形状に対応した円形の断面形状を有している。一方、シャッター枠軸穴１９ｂの上方は開放されており、上方からシャッターブレード２０の軸２０ｂを押し付けることで、挿入取付けが可能である。ただし、一度シャッターブレード２０の軸２０ｂを挿入した後に容易に抜けることがないように、シャッター枠軸穴１９ｂには括れ部１９ｅが設けられている。また、隣接するシャッター枠軸穴１９ｂの間には、軸２０ｂの反挿入方向の先端をＲ形状としたリブ１９ｆが形成されている。これによって、シャッターブレード２０の軸２０ｂが軸間に引っ掛かることを防ぎ、シャッター枠軸穴１９ｂへの軸２０ｂの挿入性を良くしている。
【００２３】
また、シャッター枠１９は、ばね２２の一端を引っ掛ける爪１９ｃと、フランジ部９へ取り付けるための引掛け部１９ｄとを有している。
【００２４】
図１０は本発明の実施形態に係る換気扇の可動ロッドの可動軸挿入部を示す斜視図である。
可動ロッド２１は、ソレノイド２３の駆動力を複数のシャッターブレード２０に伝達するための中継部品である。図１０に示すように、可動ロッド２１は、シャッターブレード２０の可動軸２０ｃを挿入する可動ロッド軸穴２１ａと、ばね２２の他端を引っ掛ける爪２１ｂと、ばね２２を収納するばね収納部２１ｃと、ソレノイド２３のシャッター引上げ部品２４（図１７参照）に当接し、ソレノイド２３の駆動力により引き上げられる可動ロッド引上げ部２１ｄと、を有する。
【００２５】
図１１は本発明の実施形態に係る換気扇のシャッターを示す背面図である。図１２は本発明の実施形態に係る換気扇の爪及びばね収納部を示す図１１のＸ−Ｘ線断面図である。図１３は本発明の実施形態に係る換気扇のシャッターから可動ロッド及びばねを分解した状態を示す斜視図である。
ばね２２は、図１１〜図１３に示すように、渦巻状のばねであり、両端には爪１９ｃ、２１ｂ等の引掛け部へ引っ掛ける輪形部２２ａを有する。
【００２６】
ばね２２は、図１２に示すように、両端の輪形部２２ａが、シャッター枠１９側の引掛け部である爪１９ｃと可動ロッド２１側の引掛け部である爪２１ｂとに引っ掛けられることにより取り付けられている。ばね２２により、可動ロッド２１は、シャッター枠１９に対して一方向（例えば、下向き）に付勢される。可動ロッド２１は、シャッター枠１９の内側側面に沿って収納される。したがって、シャッター１６を本体フレーム３のフランジ部９へ取り付けたときに、可動ロッド２１は露出しないようになっている。また、ばね２２は可動ロッド２１のばね収納部２１ｃに収納される。すなわち、ばね２２は、シャッター枠１９と可動ロッド２１とに覆われ、露出しないようになっている。このため、シャッター１６の清掃性を悪化させることなく、清掃時のばね２２への接触、及びばね２２への外部からの埃付着を抑制することができる。
【００２７】
シャッターブレード２０の軸２０ａはシャッター枠軸穴１９ａに挿入され、シャッターブレード２０の軸２０ｂはシャッター枠軸穴１９ｂに挿入され、シャッターブレード２０の可動軸２０ｃは可動ロッド軸穴２１ａに挿入される。
【００２８】
図１４は本発明の実施形態に係る換気扇の本体のシャッター枠取付け部を示す斜視図である。図１５は本発明の実施形態に係る換気扇のシャッター枠の取付け部を示す正面図である。図１６は本発明の実施形態に係る換気扇のソレノイド及び可動ロッド引上げ部を示す概略の断面図である。
シャッター１６は、図１４及び図１５に示すように、本体フレーム３のフランジ部９の前面に設けられた４箇所の引掛け部９ａに、シャッター枠１９の引掛け部１９ｄを引っ掛けることで組み立てられる。４箇所の引掛け部９ａのうち、上下２箇所の引掛け部９ａは、シャッター枠１９をフランジ部９に対し横方向にスライドさせて案内するガイドとしても機能する。
【００２９】
また、図１４及び図１６に示すように、フランジ部９には、ソレノイド２３のシャッター引上げ部品２４をフランジ部９の背面側（図１４では奥側、図１６では右側）から前面側（図１４では手前側、図１６では左側）に貫通させる貫通孔９ｂが形成されている。貫通孔９ｂは、シャッター引上げ部品２４の可動範囲に合わせた大きさを有している。これにより、シャッター引上げ部品２４は、図１４及び図１６中の両矢印で示すように、貫通孔９ｂ内でフランジ部９に沿った一方向（例えば、上下方向）に動作する。シャッター１６は、例えば、換気扇の運転開始と同時に通電されるソレノイド２３の吸引力により複数のシャッターブレード２０が回転して開状態となる構造を有している。
【００３０】
ソレノイド２３は、フランジ部９の背面側に設けられている。ソレノイド２３は、コイル２３ａと、通電時のコイル２３ａに吸引される可動鉄心２３ｂと、可動鉄心２３ｂに固定して取り付けられたシャッター引上げ部品２４と、可動鉄心２３ｂ及びシャッター引上げ部品２４を一方向（例えば、下方向）に付勢するばね２３ｃと、を有している。シャッター引上げ部品２４は、貫通孔９ｂを介してフランジ部９の前面側に突出している。シャッター引上げ部品２４は、通電時のソレノイド２３の吸引力を可動ロッド２１を介してシャッター１６に伝達し、ばね２２等の付勢力に抗してシャッター１６を開状態とするものである。シャッター引上げ部品２４の材質としては、耐熱性を高めるために難燃性樹脂（例えば、ＰＢＴ樹脂）が用いられている。
【００３１】
また、フランジ部９の背面側には、ソレノイド２３の延焼を防止するためにソレノイド２３の周囲をフランジ部９と共に覆うソレノイドカバー２５が設けられている。ソレノイドカバー２５は、一面に開口部を備える略直方体形状を有している。ソレノイドカバー２５の材質には、難燃性樹脂（例えば、ＰＢＴ樹脂）が用いられている。
【００３２】
ソレノイド２３のコイル２３ａに通電されていない状態（例えば、換気扇が停止している状態）では、可動鉄心２３ｂ及びシャッター引上げ部品２４は、ばね２３ｃによる付勢力と、可動鉄心２３ｂ及びシャッター引上げ部品２４の自重と、可動ロッド引上げ部２１ｄを介して伝達される可動ロッド２１及びシャッターブレード２０等の自重とにより、可動範囲下端の初期位置に位置する。可動ロッド２１は、ばね２２による付勢力と、可動ロッド２１及びシャッターブレード２０等の自重と、により、可動範囲下端の初期位置に位置する。このとき、複数のシャッターブレード２０は閉状態となっている。また、シャッター引上げ部品２４の先端部は、可動ロッド２１の可動ロッド引上げ部２１ｄの下面に接触又は近接して配置されている。
【００３３】
換気扇の運転が開始されると、それを契機としてコイル２３ａに通電される。コイル２３ａに通電されると、可動鉄心２３ｂ及びシャッター引上げ部品２４は、コイル２３ａの吸引力により、ばね２３ｃの付勢力や重力に打ち勝って、可動ロッド引上げ部２１ｄを引き上げつつ可動範囲上端に移動する。これにより、可動ロッド２１は、ばね２２の付勢力や重力に打ち勝って上方にスライド移動する。これにより、複数のシャッターブレード２０は、軸２０ａ、２０ｂを中心に可動ロッド収納側（背面側）に回転して開状態となる。
【００３４】
換気扇の運転が停止されると、それを契機としてコイル２３ａへの通電が停止する。コイル２３ａへの通電が停止するタイミングは、換気扇の運転停止と同時であってもよいし、換気扇の運転停止から所定時間経過後であってもよい。コイル２３ａへの通電が停止すると、コイル２３ａの吸引力が消失する。これにより、可動鉄心２３ｂ及びシャッター引上げ部品２４は、ばね２３ｃの付勢力と、可動鉄心２３ｂ及びシャッター引上げ部品２４の自重と、可動ロッド引上げ部２１ｄを介して伝達される可動ロッド２１及びシャッターブレード２０等の自重並びにばね２２の付勢力と、により、可動範囲下端の初期位置に移動する。可動ロッド２１は、ばね２２の付勢力と、可動ロッド２１及びシャッターブレード２０等の自重と、により、可動範囲下端に向かって下方に移動する。これにより、複数のシャッターブレード２０は、軸２０ａ、２０ｂを中心に下向きに回転して閉状態となる。
【００３５】
図１７は図１６に対応する図であり、本発明の比較例としてのソレノイド及び可動ロッド引上げ部を示す概略の断面図である。図１７に示すように、本比較例の構成では、可動範囲下端に位置するシャッター引上げ部品２４は、ソレノイドカバー２５の内壁面２５ａに当接する。したがって、コイル２３ａへの通電が停止してシャッター引上げ部品２４が下方に移動する際には、シャッター引上げ部品２４とソレノイドカバー２５の内壁面２５ａとが衝突する。シャッター引上げ部品２４及びソレノイドカバー２５は、いずれもＰＢＴ樹脂等の難燃性樹脂により形成されている。一般に、難燃性樹脂は、ガラスなどを含有しているため高い硬度を有している。このため、本比較例の構成では、シャッターブレード２０が閉状態となる際に、硬度の高い部材同士の衝突が生じるため、大きな干渉音が発生する。
【００３６】
これに対し、図１６に示す本実施形態の構成では、フランジ部９の貫通孔９ｂにおいて、ソレノイド２３の吸引力が働く方向（吸引方向）とは逆方向（本例では、下方）の縁部９ｃが、ソレノイドカバー２５の内壁面２５ａよりもソレノイド２３の吸引力が働く方向（本例では、上方）に突出している。したがって、コイル２３ａへの通電が停止した際には、シャッター引上げ部品２４は、内壁面２５ａよりも先にフランジ部９の縁部９ｃに衝突する。言い換えれば、フランジ部９の縁部９ｃは、コイル２３ａへの非通電時にシャッター引上げ部品２４に当接する当接部となる。本例の当接部はフランジ部９の一部であるため、当然ながら当接部はフランジ部９の材質と同一の材質で形成されている。また、上述のようにフランジ部９は、ＰＰ樹脂やＡＢＳ樹脂等の非難燃性樹脂により形成されている。一般に、非難燃性樹脂は、難燃性樹脂よりも低い硬度を有している。すなわち、当接部となる縁部９ｃは、ソレノイドカバー２５の材質よりも硬度の低い材質で形成されている。このため、シャッター引上げ部品２４と縁部９ｃとが衝突する際の干渉音を、上記比較例の構成においてシャッター引上げ部品２４と内壁面２５ａとが衝突する際の干渉音よりも小さくすることができる。したがって、本実施形態の構成によれば、シャッターブレード２０が閉状態となる際に生じる干渉音を抑制することができる。
【００３７】
ここで、各材質の硬度は、例えば、ロックウェル硬さ等により評価することができる。
【００３８】
図１８は、本実施形態の第１変形例に係る換気扇のソレノイド及び可動ロッド引上げ部を示す概略の断面図である。図１８に示すように、本変形例では、フランジ部９とは異なる材質で形成されたクッション材２６が縁部９ｃに設けられている。すなわち、非通電時のシャッター引上げ部品２４に当接する当接部は、フランジ部９とは別の部材であるクッション材２６で形成されている。クッション材２６（当接部）は、ソレノイドカバー２５の材質よりも硬度の低い材質で形成されている。また、クッション材２６は、フランジ部９の材質よりもさらに硬度の低い材質で形成されていることが望ましい。本変形例によれば、フランジ部９の機械的強度を保ちつつ当接部の材質の硬度をより低くすることが可能となるため、シャッターブレード２０が閉状態となる際に生じる干渉音をさらに抑制することができる。
【００３９】
なお、フランジ部９を２色成形を用いて形成し、フランジ部９本体の材質よりも硬度の低い材質（例えば、エラストマーなどの硬度の低い柔軟な樹脂）を縁部９ｃに使用するようにしてもよい。これにより、フランジ部９とは別部材であるクッション材２６を使用せず、縁部９ｃを含むフランジ部９を一部材として形成しても、縁部９ｃ（当接部）の材質の硬度をより低くすることが可能となる。したがって、シャッターブレード２０が閉状態となる際に生じる干渉音をさらに抑制することができる。
【００４０】
図１９は、本実施形態の第２変形例に係る換気扇のソレノイド及び可動ロッド引上げ部を示す概略の断面図である。図１９に示すように、本変形例では、フランジ部９の背面側（フランジ部９とソレノイド２３との間）に、ソレノイド２３の延焼防止のための金属板２７が設けられている。金属板２７は、ソレノイド２３の筐体に直接又は伝熱部材を介して間接的に接続されている。本変形例によれば、金属板２７と難燃性樹脂製のソレノイドカバー２５とによってソレノイド２３のほぼ全体を覆うことができるため、ソレノイド２３の延焼をより確実に防止することができる。また、ソレノイド２３の熱を金属板２７を介して放熱することができるため、ソレノイド２３の放熱性を高めることもできる。
【００４１】
なお、金属板２７が設けられた部分のフランジ部９にスリット等の開口部を設け、フランジ部９の前面側の風路に金属板２７の表面を露出させるようにしてもよい。これにより、換気扇の風路内の空気と金属板２７との熱交換を促進することができるため、ソレノイド２３の放熱性をさらに高めることができる。
【００４２】
以上説明したように、本実施形態に係る換気扇は、室内外を連通させる導管（本例では、パイプ１）に挿入され、羽根車４を回転させる電動機５が取り付けられる筒状の本体フレーム３と、本体フレーム３の開口部８の外周から径方向に張り出して設けられたフランジ部９と、を備え、フランジ部９の室内側から見た前面には、本体フレーム３の開口部８を開閉するシャッター１６が設けられており、フランジ部９の室内側から見た背面には、シャッター１６を駆動するソレノイド２３とソレノイド２３の周囲を覆うソレノイドカバー２５とが設けられており、シャッター１６は、シャッター枠１９と、シャッター枠１９に回転自在に設けられたシャッターブレード２０と、シャッターブレード２０を閉方向に付勢する付勢手段（本例では、ばね２２）と、を備えており、ソレノイド２３は、コイル２３ａと、通電時のコイル２３ａに吸引される可動鉄心２３ｂと、可動鉄心２３ｂに取り付けられ、可動鉄心２３ｂがコイル２３ａに吸引されるときの吸引力をシャッター１６に伝達し、付勢手段の付勢力に抗してシャッター１６を開状態とするシャッター引上げ部品２４と、を備えており、フランジ部９には、当該フランジ部９の背面側から前面側にシャッター引上げ部品２４を貫通させる貫通孔９ｂが形成されており、貫通孔９ｂの縁部のうちソレノイド２３の吸引方向とは逆方向の縁部９ｃには、コイル２３ａへの非通電時にシャッター引上げ部品２４に当接する当接部が設けられており、当接部は、ソレノイドカバー２５の材質よりも硬度の低い材質で形成されているものである。
【００４３】
本発明は、上記実施形態に限らず種々の変形が可能である。
例えば、上記実施形態では、ばね２２、２３ｃの付勢方向と重力方向（下方向）とが一致している構成を例に挙げたが、本発明は、ばね２２、２３ｃの付勢方向と重力方向とが一致していない構成にも適用できる。
【００４４】
また、上記実施形態では、本発明を換気扇に適用した構成を例に挙げたが、本発明は、換気扇以外の送風機や空気調和機、及びそれらに関するシステム部材にも適用できることは言うまでもない。
【００４５】
また、上記実施形態や変形例は、互いに組み合わせて実施することが可能である。
【符号の説明】
【００４６】
１  パイプ、２  風洞、３  本体フレーム、４  羽根車、５  電動機、６  本体、７  化粧パネル、８  開口部、９  フランジ部、９ａ  引掛け部、９ｂ  貫通孔、９ｃ  縁部、１０  立上り部、１１  脚部、１２  橋絡部、１３  電動機カバー、１４  板ばね、１５  回転軸、１６  シャッター、１７  端子台、１８  絶縁カバー、１９  シャッター枠、１９ａ、１９ｂ  シャッター枠軸穴、１９ｃ  爪、１９ｄ  引掛け部、１９ｅ  括れ部、１９ｆ  リブ、２０  シャッターブレード、２０ａ、２０ｂ  軸、２０ｃ  可動軸、２１  可動ロッド、２１ａ  可動ロッド軸穴、２１ｂ  爪、２１ｃ  ばね収納部、２１ｄ  可動ロッド引上げ部、２２  ばね、２２ａ  輪形部、２３  ソレノイド、２３ａ  コイル、２３ｂ  可動鉄心、２３ｃ  ばね、２４  シャッター引上げ部品、２５  ソレノイドカバー、２５ａ  内壁面、２６  クッション材、２７  金属板、Ａ  シャッター枠軸挿入部。
【図１】
2015175590.tif 000003
【図２】
2015175590.tif 000004
【図３】
2015175590.tif 000005
【図４】
2015175590.tif 000006
【図５】
2015175590.tif 000007
【図６】
2015175590.tif 000008
【図７】
2015175590.tif 000009
【図８】
2015175590.tif 000010
【図９】
2015175590.tif 000011
【図１０】
2015175590.tif 000012
【図１１】
2015175590.tif 000013
【図１２】
2015175590.tif 000014
【図１３】
2015175590.tif 000015
【図１４】
2015175590.tif 000016
【図１５】
2015175590.tif 000017
【図１６】
2015175590.tif 000018
【図１７】
2015175590.tif 000019
【図１８】
2015175590.tif 000020
【図１９】
2015175590.tif 000021